(57)【要約】【課題】  電話番号の入力の際における番号の途中押し忘れなどを防止し、誤発信を防止できるようにする。【解決手段】  送信先の電話番号の入力する際の特番が、その特番で入力される電話番号の桁数とともに予め設定されている。特番が入力されると（ステップＳ２３のＹ）、入力された電話番号の桁数が、この設定されている桁数に合致するか否かを判断し（ステップＳ２９）、合致しないときは（ステップＳ２９のＮ）、その旨を報知する（ステップＳ３０）。【選択図】    図５
2005252553.tif 000002
【特許請求の範囲】
【請求項１】
画像データをネットワークとの間で送受信する通信制御装置と、
前記送信を行う原稿の画像データを読み取るスキャナと、
前記受信した画像データを媒体上に画像形成するプロッタと、
画像データの送信先の電話番号の入力を受け付ける手段と、
この入力で特番が入力されたときの当該入力による電話番号の桁数を予め設定する手段と、
前記入力で特番が入力されたときは当該入力による電話番号の桁数を前記設定されている桁数と比較する手段と、
を備えているファクシミリ装置。
【請求項２】
前記入力された電話番号の桁数が前記設定されている桁数と異なるときは、前記電話番号の入力にエラーがある旨を報知する手段と、
を備えている請求項１に記載のファクシミリ装置。
【請求項３】
前記入力された電話番号の桁数が前記設定されている桁数と異なるときは、当該入力された電話番号を表示して当該電話番号の修正の入力を受け付ける手段を、さらに備えている請求項１又は２に記載のファクシミリ装置。
【請求項４】
前記設定する手段は、前記特番ごとに前記桁数を設定でき、
前記比較する手段は、前記入力された電話番号の桁数と前記入力された特番について設定されている桁数とを比較する、
請求項１〜３のいずれかの一に記載のファクシミリ装置。
【請求項５】
前記設定する手段は、所定の電話番号について前記特番として登録していて、この電話番号に当該電話番号の特番が対応付けられて登録されている、請求項１〜４のいずれかの一に記載のファクシミリ装置。
【発明の詳細な説明】
【技術分野】
【０００１】
本発明は、ファクシミリ装置に関する。
【背景技術】
【０００２】
ファクシミリ装置については、特許文献１〜３に開示の技術が知られている。特許文献１の技術は、交換機側のサービス関する技術であり、特許文献２の技術は、ＩＳＤＮターミナルアダプタ、通信端末装置に関する技術であり、特番を利用してパラメータを設定する技術である。
【０００３】
【特許文献１】特開２００１−１２７８８５公報
【特許文献２】特開２００２−３５９６８０公報
【特許文献３】特開２０００−１２５０３９公報
【発明の開示】
【発明が解決しようとする課題】
【０００４】
このようなファクシミリ装置においては、電話番号を入力して発呼するとき、ワンタッチや短縮に登録した電話番号は誤発信せずに発呼できるが、直接電話番号を入力するときときは、入力間違いをし、誤発信しやすいという不具合があった。
【０００５】
これに対し、特許文献１の技術は、交換機側のサービス関する技術であり、ファクシミリ端末側で誤発信を防止するものではない。
【０００６】
また、特許文献２の技術は、ＩＳＤＮターミナルアダプタ、通信端末装置に関する技術であり、ＰＢＸ内線側に接続されたファクシミリ端末について誤発信防止することができない。
【０００７】
さらに、特許文献３の技術は、特番を利用してパラメータを設定する技術であり、特番による誤発信防止に関する技術ではない。
【０００８】
本発明の目的は、電話番号の入力の際における番号の途中押し忘れなどを防止し、誤発信を防止できるようにすることである。
【課題を解決するための手段】
【０００９】
本発明は、画像データをネットワークとの間で送受信する通信制御装置と、前記送信を行う原稿の画像データを読み取るスキャナと、前記受信した画像データを媒体上に画像形成するプロッタと、画像データの送信先の電話番号の入力を受け付ける手段と、この入力で特番が入力されたときの当該入力による電話番号の桁数を予め設定する手段と、前記入力で特番が入力されたときは当該入力による電話番号の桁数を前記設定されている桁数と比較する手段と、を備えているファクシミリ装置である。
【発明の効果】
【００１０】
本発明によれば、特番ごとに対応する電話番号の桁数が設定され、入力された電話番号が設定された桁数に合致するか否かを判断するので、電話番号の番号の途中押し忘れなどの入力ミスを防止し、誤発信を防止できる。
【発明を実施するための最良の形態】
【００１１】
発明を実施するための最良の一形態について説明する。
【００１２】
図１は、本実施の形態のファクシミリ装置の電気的な接続を示すブロック図である。図１において、ファクシミリ装置１は、原稿画像を読み取って画像データを取り出すスキャナ１１と、画像データに基づいて記録紙に画像を形成するプロッタ２と、を備えている。符号化復号化部３は、送信する画像データの圧縮符号化及び受信した画像データ（であって圧縮符号化されているもの）の複号化を行う。画像メモリ４は画像データを一時記憶する。プロッタ２の印刷方式は、電子写真方式のほか、インクジェット方式、昇華型熱転写方式、銀塩写真方式、直接感熱記録方式、溶融型熱転写方式など、さまざまな方式を用いることができる。
【００１３】
網制御部５は、電話網などのネットワークに接続する回線の補足、発信先電話番号である選択信号の送出、着信の検出などにより、所定の発呼動作および着信動作を行う。モデム６は、画像データを変復調して伝送すると共に、伝送制御手順における各種手順信号を伝送する。通信制御部７は、電話網などのネットワークと画像データの送受信を行なう通信制御装置として機能し、これら網制御部５とモデム６を制御して所定の伝送制御手順により、ファクシミリ伝送の送受信を実行する。
【００１４】
操作表示部８は、操作ガイダンス等を表示し、そのガイダンスに従って、このファクシミリ装置に所定の送受信処理を実行させるための各種操作の実行を受け付ける。システムメモリ９は、送信処理毎に、日時、送信相手先、送信原稿の枚数、送信結果などを記憶する一方、送信結果レポートの項目情報など固定的な各種情報を記憶する。システム制御部１０は、マイクロコンピュータシステムから構成され、上記各部を制御してこのファクシミリ装置１の所定の動作を実行するものである。
【００１５】
このような構成のファクシミリ装置１により原稿を送信する場合の一般的な処理について説明する。図２は、かかる処理を説明するフローチャートである。図に示すように、システム制御部１０（のＣＰＵ）は、スキャナ１に送信原稿がセットされていることを図示しないセンサで検出し（ステップＳ１のＹ）、操作表示部８で、宛先入力がなされ（ステップＳ２のＹ）、所定のスタートボタンを押下すると（ステップＳ３のＹ）、スキャナ１は原稿を読み取り（ステップＳ４）、画像メモリ４に転送する（ステップＳ５）。これにより、システム制御部１０の制御のもとで、まず、網制御部５が回線接続して発呼動作を行い（ステップＳ６）、送信相手先ファクシミリ装置が呼び出される。相手先が応答すると、モデム６、通信制御部７により、所定の伝送手順が開始される（ステップＳ７）。これにより、画像メモリ４から画像データが符号化復号化部３に転送され、通信制御部７を通り、モデム６を経由し、網制御部５から回線に送出される。送信が終われば、一連の処理は終了する。
【００１６】
ファクシミリ装置１は、送信する前の初期設定で、送信相手先の電話番号について予め特番を設定しておくことができる。この特番の登録は、図３の処理にしたがって行う。すなわち、図３に示すように、操作表示部８で初期設定を選択し（ステップＳ１１のＹ）、システムメモリ９の不揮発性メモリに特番の内容を登録する（ステップＳ１２）。この設定内容は、初期設定の項目に追加され、その登録内容は図４の例のようになる。この特番の登録は、特番となる番号と、その特番で用いる、特番に続いて、あるいは特番も含めて特番に続き入力される電話番号の桁数が登録される。図４の例では、外線への発呼は特番が０であり、その場合に特番に続いて入力される、あるいは特番も含めて特番に続き入力される桁数は７〜３２である。
【００１７】
ここまでの登録を行っておき、以下の動作をする。
【００１８】
ファクシミリ装置１で原稿を送信する場合、図５に示すように、システム制御部１０は、スキャナ１に送信原稿をセットし、原稿の存在を図示しないセンサで検出し（ステップＳ２１のＹ）、操作表示部８で宛先が入力されていると（ステップＳ２２のＹ）、システムメモリ９の特番登録とステップＳ２２の宛先入力とを比較して、入力された宛先が特番か否かを判断する（ステップＳ２３）。
【００１９】
特番でないときは（ステップＳ２３のＮ）、スタートボタンが押下されることで（ステップＳ２４のＹ）、スキャナ１は原稿を読み取り（ステップＳ２５）、画像メモリ４に転送する（ステップＳ２６）。
【００２０】
これにより、システム制御部１０の制御のもとで、まず網制御部５が回線接続して発呼動作をし（ステップＳ２７）、送信相手先ファクシミリ装置が呼び出される。相手先が応答すると、モデム６、通信制御部７により、所定の伝送手順が開始され、画像メモリ４から符号化復号化部３に転送され、送信制御部７を通り、モデム６を経由し、網制御部５から回線に画像が送出される（ステップＳ２８）。この送信が終われば一連の処理を終了する。
【００２１】
入力された宛先が特番であるときは（ステップＳ２３のＮ）、入力された宛先の電話番号が前述のように予め設定されている桁数であるか否か、両者を比較する（ステップＳ２９）。この電話番号の桁数が予め設定されている桁数の範囲内ならば（ステップＳ２９のＹ）、入力された電話番号の桁数には間違いがないと判断されるので、前述のステップＳ２４以下の処理に移行する。
【００２２】
この電話番号の桁数が予め設定されている桁数の範囲内でないときは（ステップＳ２９のＮ）、入力された電話番号の桁数には間違いがあると判断されるので、操作表示部８のディスプレイにエラーメッセージを表示するなどして、ユーザに入力された宛先の電話番号に間違いがある旨を報知する（ステップＳ３０）。
【００２３】
このような処理を行なうことにより、電話番号の入力の際における番号の途中押し忘れを防止し、誤発信を防止することができる。
【００２４】
しかしながら、図５の処理の場合は、予め設定されている桁数の範囲内でないときにエラーの表示をするだけで（ステップＳ３０）、その後、ユーザが電話番号を入れ直すとき、最初から入力しなければならない。
【００２５】
そこで、図５の処理に代えて図６の処理を実行するようにしてもよい。図６で図５と同一符号のステップは、前述した図５の場合と同様であるため、詳細な説明は省略する。図６の処理が図５の処理と異なるのは、報知（ステップＳ３０）後に、入力された宛先の修正を受け付けることである（ステップＳ３１）。このステップＳ３１では、最初に誤って入力された電話番号を操作表示部８のディスプレイに表示し、一連の電話番号の中で誤っている部分のみの再入力を受け付けて、修正することができる。
【００２６】
これにより、再度の電話番号の入力を速やかに行え、修正箇所のみを訂正すればよいので、誤入力を防止でき、誤発信再発を防止できる。
【００２７】
また、前述のファクシミリ装置１では、予め設定しておく電話番号の桁数は一義的に設定されているため、特番ごとに設定すべき桁数が異なりうることを考慮していない。
【００２８】
そこで、図４に代えて、図７に示すように特番ごとに桁数を登録できるようにしてもよい。図７の例では、異なる特番“０”，“８”ごとに異なる桁数を登録できる。そして、ステップＳ２９の判断は、入力された特番ごとの異なる桁数と、入力された電話番号の桁数とを比較する。
【００２９】
さらに、緊急電話などの番号については、かけるときに外線用の特番処理をする必要があるが、緊急時なのであわててしまい、特番処理を忘れてしまうことがありうる。
【００３０】
そこで、緊急電話などについては、その電話番号を特番とし、その電話番号の桁数とともに登録しておくのが望ましい。図８は、この場合の登録例を示すものであり、緊急電話の電話番号である“１１０”が特番として登録され、その電話番号“１１０”の桁数“３”が桁数下限、桁数上限の値として登録されている。そして、この特番をユーザが設定したときは、自動的に所定の特番、この例では“０”（すなわち外線へ）に自動的に発呼するように設定されている。すなわち、特番として登録されている電話番号に所定の特番が対応付けられて登録されている。
【００３１】
これにより、緊急時には特番を設定しなくても緊急電話の番号を設定するだけで電話できるので、誤発信を防止し、効率よく、発信することができる。
【図面の簡単な説明】
【００３２】
【図１】本発明の一実施の形態であるファクシミリ装置の電気的な接続のブロック図である。
【図２】ファクシミリ装置が実行する基本的な処理のフローチャートである。
【図３】ファクシミリ装置が実行する電話番号の桁数の登録に関するフローチャートである。
【図４】電話番号の桁数の登録例を示す説明図である。
【図５】ファクシミリ装置が実行する送信処理のフローチャートである。
【図６】ファクシミリ装置が実行する送信処理の別の例のフローチャートである。
【図７】電話番号の桁数の別の登録例を示す説明図である。
【図８】電話番号の桁数の別の登録例を示す説明図である。
【符号の説明】
【００３３】
１  ファクシミリ装置
２  プロッタ
７  通信制御装置
１１  スキャナ
【図１】
2005252553.tif 000003
【図２】
2005252553.tif 000004
【図３】
2005252553.tif 000005
【図４】
2005252553.tif 000006
【図５】
2005252553.tif 000007
【図６】
2005252553.tif 000008
【図７】
2005252553.tif 000009
【図８】
2005252553.tif 000010